(57)【要約】      （修正有）【課題】汎用性及び耐久性に優れるカラビナ固定帯を提供する。【解決手段】カラビナ固定帯２２は、カラビナ本体に取り付ける。この固定帯２２はゴムからなる本体２４と、本体２４の厚さ方向に貫通する複数の貫通孔２６と、本体２４の幅方向側面２４ｃから幅方向外向きに突出する複数の凸部２８とを備えている。複数の貫通孔２６は、本体２４の長手方向に並べられている。複数の凸部２８は、本体２４の長手方向に並べられている。本体２４の長手方向において、貫通孔２６の中心位置に、凸部２８が位置している。【選択図】図１
0003213129.tif 000002
【実用新案登録請求の範囲】
【請求項１】
カラビナ本体に取り付ける固定帯であって、
ゴムからなる短冊形の本体と、上記本体の厚さ方向に貫通する複数の貫通孔と、上記本体の幅方向側面から幅方向外向きに突出する複数の凸部とを備えており、
上記複数の貫通孔が上記本体の長手方向に並べられており、
上記複数の凸部が上記本体の長手方向に並べられており、
上記本体の長手方向において、上記貫通孔の中心位置に上記凸部が位置しているカラビナ固定帯。
【請求項２】
上記本体の長手方向において、上記貫通孔が形成されている貫通孔形成範囲が、上記凸部が形成されている凸部形成範囲内にある請求項１に記載のカラビナ固定帯。
【請求項３】
上記本体の幅方向において、上記凸部の端の輪郭が円弧状にされている請求項１又は２に記載のカラビナ固定帯。
【請求項４】
上記本体が、貫通孔を囲む内縁部と、上記内縁部を囲む外縁部とを備えており、
上記内縁部の引裂強さが上記外縁部の引裂強さより大きい請求項１から３のいずれかに記載のカラビナ固定帯。
【請求項５】
上記内縁部が繊維補強ゴムからなる請求項４に記載のカラビナ固定帯。
【請求項６】
カラビナ本体と、このカラビナ本体に取り付ける固定帯とを備えており、
上記固定帯が、ゴムからなる短冊形の本体と、上記本体の厚さ方向に貫通する複数の貫通孔と、上記本体の幅方向側面から幅方向外向きに突出する複数の凸部とを備えており、
上記複数の貫通孔が上記本体の長手方向に並べられており、
上記複数の凸部が上記本体の長手方向に並べられており、
上記本体の長手方向において、上記貫通孔の中心位置に上記凸部が位置しており、
上記複数の貫通孔の一つの貫通孔と他の貫通孔とに、上記カラビナ本体が通されている固定帯付きカラビナ。
【考案の詳細な説明】
【技術分野】
【０００１】
本考案は、カラビナ固定帯に関する。
【背景技術】
【０００２】
カラビナ本体に取付部が取り付けられたカラビナ式ツールフックが使用されている。この取付部で、作業者のベルト等に装着される。そして、このカラビナ本体に、コンベックス等の各種のツールが着脱可能に装着される。
【０００３】
作業現場及び作業目的によって、使用されるツールは異なる。使用されるツールにより種々のカラビナ本体が使用される。このカラビナ式ツールフックでは、取付部が固定されているので、種々のカラビナ本体をそのまま使用できない。カラビナ本体毎に取付部を備えるカラビナ式ツールフックを準備する必要がある。また、この取付部によってベルトに装着されるカラビナ式ツールフックでは、装着できるベルトの厚さ及び幅に制限がある。このカラビナ式ツールフックは、汎用性に改善の余地がある。
【先行技術文献】
【特許文献】
【０００４】
【特許文献１】実用新案登録第３１５２６８４号公報
【考案の概要】
【考案が解決しようとする課題】
【０００５】
考案者は、汎用性の観点から、カラビナ式ツールフックの改良について、種々の検討を行った。図５には、その一例として、カラビナ本体２とカラビナ本体２に取り付けられた固定帯４とが示されている。図５では、衣服のベルト通し６にベルト８が通されている。このベルト８に、固定帯４を用いてカラビナ本体２が取り付けられている。図６に示される様に、この固定帯４は、短冊形の本体１０と、その本体１０を貫通する複数の貫通孔１２とを備えている。図５に示されう様に、この固定帯４では、この貫通孔１２にカラビナ本体２の棒体１４が通されて、カラビナ本体２に着脱可能に取り付けられる。この固定帯４は、大きさや形状の異なる種々のカラビナ本体２をベルト８に装着しうる。また、棒体１４を通す貫通孔１２を選択することで、厚さや幅の異なる種々のベルト８にカラビナ本体２を装着しうる。この固定帯４は、汎用性に優れる。
【０００６】
図５では、固定帯４とカラビナ本体２の棒体１４とがベルト８を挟み込んでいる。この挟み込みによって、カラビナ本体２はベルト８に固定されている。この固定帯４には、その長手方向に引張応力が作用している。この引張応力によって、貫通孔１２の縁に応力集中が生じる。この応力集中は、固定帯４に、この貫通孔１２の縁を起点とする破損を生じさせる。この固定帯４は、耐久性の観点で改善の余地がある。
【０００７】
本考案の目的は、汎用性及び耐久性に優れるカラビナ固定帯の提供にある。
【課題を解決するための手段】
【０００８】
本考案に係るカラビナ固定帯は、カラビナ本体に取り付けられる。この固定帯は、ゴムからなる短冊形の本体と、上記本体の厚さ方向に貫通する複数の貫通孔と、上記本体の幅方向側面から幅方向外向きに突出する複数の凸部とを備えている。上記複数の貫通孔は、上記本体の長手方向に並べられている。上記複数の凸部は、上記本体の長手方向に並べられている。上記本体の長手方向において、上記貫通孔の中心位置に上記凸部が位置している。
【０００９】
好ましくは、上記本体の長手方向において、上記貫通孔が形成されている貫通孔形成範囲は、上記凸部が形成されている凸部形成範囲内にある。
【００１０】
好ましくは、上記本体の幅方向において、上記凸部の端の輪郭は円弧状にされている。
【００１１】
好ましくは、上記本体は、貫通孔を囲む内縁部と、上記内縁部を囲む外縁部とを備えている。上記内縁部の引裂強さは、上記外縁部の引裂強さより大きい。
【００１２】
好ましくは、上記内縁部は、繊維補強ゴムからなる。
【００１３】
本考案に係る固定帯付きカラビナは、カラビナ本体と、このカラビナ本体に取り付ける固定帯とを備えている。上記固定帯は、ゴムからなる短冊形の本体と、上記本体の厚さ方向に貫通する複数の貫通孔と、上記本体の幅方向側面から幅方向外向きに突出する複数の凸部とを備えている。上記複数の貫通孔は、上記本体の長手方向に並べられている。上記複数の凸部は、上記本体の長手方向に並べられている。上記本体の長手方向において、上記貫通孔の中心位置に上記凸部が位置している。上記複数の貫通孔の一つの貫通孔と他の貫通孔とに、上記カラビナ本体が通されている。
【考案の効果】
【００１４】
本考案に係るカラビナ固定帯は、本体と、本体の厚さ方向に貫通する複数の貫通孔とを備えている。この複数の貫通孔から選択した貫通孔にカラビナ本体が通される。このカラビナ固定帯は、種々のカラビナ本体に着脱可能に取り付けられる。このカラビナ固定帯は、種々のベルトに装着される。このカラビナ固定帯では、本体の長手方向において、貫通孔の位置に凸部が位置しているので、貫通孔の縁を起点とする破損が抑制される。このカラビナ固定帯は、耐久性に優れる。
【図面の簡単な説明】
【００１５】
【図１】図１（ａ）は本考案の一実施形態に係るカラビナ固定帯の正面図であり、図１（ｂ）はこのカラビナ固定帯の側面図である。
【図２】図１（ａ）の部分拡大図である。
【図３】図３は、カラビナ本体に図１のカラビナ固定帯が取り付けられた固定帯付きカラビナが示された斜視図である。
【図４】図４（ａ）は図３の固定帯付きカラビナの使用状態が示された説明図であり、図４（ｂ）はこの固定帯付きカラビナの他の使用状態が示された説明図であり、図４（ｃ）はこの固定帯付きカラビナの更に他の使用状態が示された説明図である。
【図５】図５は、試作された他のカラビナ固定帯を用いた、固定帯付きカラビナの使用状態が示された説明図である。
【図６】図６（ａ）は図５のカラビナ固定帯が示された正面図であり、図６（ｂ）は図６（ａ）の線分ｂ−ｂに沿った断面図である。
【考案を実施するための形態】
【００１６】
以下、適宜図面が参照されつつ、好ましい実施形態に基づいて本考案が詳細に説明される。
【００１７】
図１（ａ）及び図１（ｂ）の固定帯２２は、本体２４と、複数の貫通孔２６と、複数の凸部２８と、複数の端部凸部３０とを備えている。図１（ａ）の左右方向が固定帯２２の長手方向であり、図１（ａ）の上下方向が固定帯２２の幅方向であり、図１（ｂ）の上下方向が固定帯２２の厚さ方向である。
【００１８】
この本体２４は、左右方向に長い短冊形状を備えている。本体２４は、固定帯２２が凸部２８及び端部凸部３０とを備えていないと仮定した場合、左右方向を長手方向にする短冊形状を備えている。本考案では、この形状を左右方向に長い短冊形状と称する。本体２４は、貫通孔２６を囲む内縁部３２と、この内縁部３２を囲む外縁部３４とを備えている。
【００１９】
それぞれの貫通孔２６の軸線に垂直な断面において、この貫通孔２６の輪郭は円形である。それぞれの貫通孔２６は、本体２４をその厚さ方向に貫通している。この貫通孔２６は、本体２４の表面２４ａから裏面２４ｂまで貫通している。この６つの貫通孔２６は、長手方向に沿って並んで形成されている。この固定帯２２では、貫通孔２６の数は６として例示したが、この貫通孔２６の数は２以上の複数であればよい。
【００２０】
それぞれの凸部２８は、本体２４の側面２４ｃから幅方向外向きに突出している。この固定帯２２では、一対の側面２４のそれぞれに４つの凸部２８が形成されている。これらの凸部２８は、長手方向に沿って並んで形成されている。この固定帯２２では、凸部２８の数は８として例示したが、この凸部２８の数は特に限定されない。
【００２１】
それぞれの端部凸部３０は、本体２４の長手方向端部に形成されている。端部凸部３０は、本体２４の側面２４ｃから幅方向外向きに突出している。この固定帯２２では、長手方向端部において、一対の側面２４ｃのそれぞれに端部凸部３０が形成されている。
【００２２】
内縁部３２は、固定帯２２の長手方向に延在する。内縁部３２は、貫通孔２６の周りを囲っている。内縁部３２の側面３２ｃは幅方向に凹凸が形成されている。この本体２４では、この内縁部３２は、外縁部３４より引裂強さの大きいゴム材料から形成されている。内縁部３２のゴム材料として、例えば、繊維を含有し、又は布を挟み込んだ、繊維補強ゴムが用いられる。
【００２３】
外縁部３４は、固定帯２２が凸部２８及び端部凸部３０とを備えていないと仮定した場合、短冊形の外形形状を備えている。外縁部３４は、厚み方向に貫通する開口３６を備えている。この開口３６の輪郭形状は、内縁部３２の外形形状に対応をしている。この外縁部３４は、ゴム材料からなる。この外縁部３４は、内縁部３２より引裂強さの小さいゴム材料から形成されている。この開口３６に、内縁部３２が嵌め込まれている。この内縁部３２と外縁部３４とが一体にされて、本体２４が形成されている。
【００２４】
本考案の引裂強さは、ＪＩＳＫ６２５２に準拠して、それぞれのゴム材料を試験片に加工し、ｎ＝５で測定を行い、所定の方法で求められる。
【００２５】
図１（ａ）の両矢印Ｌｂは、固定帯２２の全長を表している。両矢印Ｗｂは、固定帯２２が凸部２８及び端部凸部３０とを備えていないと仮定した場合の、固定帯２２の幅を表している。両矢印Ｗｃは、凸部２８の幅を表している。この幅Ｗｃは、凸部２８の幅方向一方の外端から他方の外端までの距離として測定される。図１（ｂ）の両矢印Ｔｂは、本体２の固定帯２２の厚さを表している。
【００２６】
図２の符号Ｈｏは、貫通孔２６の中心位置を表している。長手方向において、符号Ｈ１は貫通孔２６の一方端を表し、符号Ｈ２は貫通孔２６の他方端を表している。両矢印Ｄｈは、長手方向おける貫通孔形成範囲を表している。この貫通孔形成範囲Ｄｈは、長手方向において一方端Ｈ１から他方端Ｈ２までの範囲を表す。この貫通孔形成範囲Ｄｈの長手方向距離は、貫通孔２６の直径に等しい。両矢印Ｐｈは、貫通孔２６の長手方向のピッチを表している。このピッチＰｈは、貫通孔２６の中心位置Ｈｏから長手方向に隣り合う貫通孔２６の中心位置Ｈｏまでの距離として測定される。この固定帯２２では、貫通孔２６は長手方向に一定のピッチＰｈで形成されている。
【００２７】
図２の符号Ｃ１は側面２４ｃから突出する凸部２８の一方端を表し、符号Ｃ２はこの凸部２８の他方端を表している。符号Ｃｏは、凸部２８の中央位置を表す。この中央位置Ｃｏは、長手方向おいて一方端Ｃ１と他方端Ｃ２との中点として特定される。この固定帯２２では、凸部２８の幅方向端の輪郭は円弧状にされている。符号Ｃｒはこの円弧の中心位置を表している。片矢印Ｒｃは、この円弧の半径を表している。両矢印Ｄｃは、長手方向おける凸部形成範囲を表している。この凸部形成範囲Ｄｃは、長手方向において一方端Ｃ１から他方端Ｃ２までの範囲を表す。両矢印Ｐｃは、凸部２８の長手方向のピッチを表している。このピッチＰｃは、凸部２８の中心位置Ｃｏから長手方向に隣り合う凸部２８の中心位置Ｃｏまでの距離として測定される。この固定帯２２では、凸部２８は長手方向に一定のピッチＰｃで形成されている。
【００２８】
この固定帯２２では、貫通孔２６の中心位置Ｈｏと凸部２８の中央位置Ｃｏとは、長手方向において同じ位置にされている。貫通孔２６のピッチＰｈは、凸部２８のピッチＰｃと同じされている。長手方向において凸部形成範囲Ｄｃは、貫通孔形成範囲Ｄｈより大きくされている。長手方向において、貫通孔形成範囲Ｄｈは、凸部形成範囲Ｄｃの内側に位置している。
【００２９】
図３には、この固定帯２２とカラビナ本体３８とを備える固定帯付きカラビナ４０が示されている。説明の便宜上、図３の矢印Ｘを前後方向前向きとし、矢印Ｙを左右方向左向きとし、矢印Ｚを上下方向上向きとして、説明がされる。
【００３０】
このカラビナ本体３８は、棒体４２、上屈曲部４４、下屈曲部４６及びゲートバー４８を備えている。棒体４２は、上下方向に延在する。上屈曲部４４は、棒体４２の上端から前方に屈曲し更に下方に屈曲して延在する。下屈曲部４６は、棒体４２の下端から前方に屈曲し更に上方に屈曲して延在する。この上屈曲部４４の先端部５０と下屈曲部４６の先端部５２との間には、開口５４が形成されている。ゲートバー４８の上端部５６は、上屈曲部４４の先端部５０に軸着されている。この軸着によって、ゲートバー４８の下端部５８は、左右方向を回動軸にして回動可能にされている。図示されない弾性体、例えばばねによって、ゲートバー４８の下端部５８は、前方向きに付勢されて、下屈曲部４６の先端部５２に当接している。
【００３１】
この固定帯２２は、カラビナ本体３８に取り付けられている。固定帯２２の一の貫通孔２６と他の貫通孔２６とが棒体４２に通されている。この固定帯２２では、棒体４２に通された２つの貫通孔２６の間の部分が、棒体４２に沿って延在する。
【００３２】
図４（ａ）では、この固定帯付きカラビナ４０が、ベルト６０に装着されている。このベルト６０は、作業者６２の腰に装着されている。この固定帯付きカラビナ４０では、棒体４２と固定帯２２とがベルト６０を挟み込んでいる。これにより、固定帯付きカラビナ４０は、ベルト６０に固定されている。
【００３３】
図４（ｂ）では、このカラビナ本体３８の開口５４にリング６２が通される様子が示されている。このリング６２は、図示されないツールに取り付けられている。図４（ｂ）では、リング６２がゲートバー４８に押し付けられている。この押し付けにより、ゲートバー４８の下端部５８が後方向きに（図４（ｂ）において反時計回りの向きに）回動させられている。リング６２が開口５４を通されている。
【００３４】
図４（ｃ）では、このカラビナ本体３８の下屈曲部４６にリング６２に係止されている。このリング６２の係止によって、リング６２が取り付けられたツールは、カラビナ本体３８に係止される。このカラビナ本体３８では、ゲートバー４８の下端部５８が、下屈曲部４６の先端部５２に押し付けられて当接している。これにより、リング６２がカラビナ本体３８から抜け止めされている。
【００３５】
図３、図４（ａ）、図４（ｂ）及び図４（ｃ）を参照しつつ、この固定帯２２の使用方法の一例が説明される。固定帯２２の複数の貫通孔２６の内の２つの貫通孔２６が、カラビナ本体３８の下屈曲部４６に通される。この２つの貫通孔２６は、カラビナ本体３８の下屈曲部４６の位置から更に棒体４２の位置まで通される。この様にして、固定帯２２は、図３に示された状態にされる。このとき、棒体４２に通される２つの貫通孔２６は、装着されるベルト６０の幅及び厚さに合わせて選択される。
【００３６】
図３に示された固定帯付きカラビナ４０で、棒体４２と固定帯２２との間に作業者のベルト６０が通される。これにより、図４（ａ）に示される様に、この固定帯付きカラビナ４０が、ベルト６０に装着されている。作業者は、図示されないツールのリング６２をゲートバー４８に押し付ける。ゲートバー４８の下端部５８が回動させられる。図４（ｂ）に示される様に、リング６２が開口５４を通される。開口５４を通されたリング６２は、下屈曲部４６に係止される。これにより、図４（ｃ）に示される様に、リング６２が取り付けられたツールがカラビナ本体３８に係止される。
【００３７】
図示されないが、図４（ｃ）のカラビナ本体３８で、作業者がゲートバー４８を押す。ゲートバー４８の下端部５８が、ばねの付勢力に抗して、回動させられる。ゲートバー４８の下端部５８が回動させられた状態で、リング６２が開口５４を通される。これにより、リング６２に取り付けられたツールは、カラビナ本体３８から取り外される。
【００３８】
この固定帯２２の使用方法では、棒体４２と固定帯２２との間にベルト６０が通されたが、この使用方法はこれに限られない。作業者が腰に装着しているベルト６０に、固定帯付きカラビナ４０が装着されてもよい。具体的には、２つの貫通孔２６の一方だけをカラビナ本体３８に通しておく。この状態で、カラビナ本体３８の下屈曲部４６がベルト６０の内側に通される。ベルト６０の内側を通された下屈曲部４６の先端部５２に２つの貫通孔２６の他方が通される。この２つの貫通孔２６がベルト６０を間にして、棒体４２に位置するようにされる。この様に、この固定帯２２は、ベルト６０を着脱すること無しに、固定帯付きカラビナ４０をベルト６０に装着することができる。
【００３９】
この固定帯付きカラビナ４０がベルト６０に装着された状態では、ベルト６０がカラビナ本体３８の棒体４２と固定帯２２との間に通される。固定帯２２の本体２４は、弾性変形可能なゴムからなっている。ベルト６０を通されることで、固定帯２２は、その長手方向に引張応力を生じる。この引張応力によって、固定帯２２は、カラビナ本体３８の棒体４２と間に、ベルト６０を挟み込む。これにより、固定帯付きカラビナ４０は、ベルト６０に確りと固定される。
【００４０】
この固定帯２２では、長手方向において、貫通孔２６の中心位置Ｈｏに、凸部２８が位置している。この凸部２８により、貫通孔２６から固定帯２２の側面まで、十分な厚さが確保され易い。この厚さが大きいので、固定帯２２は、貫通孔２６を起点して破損することが抑制されている。一方で、貫通孔２６が形成されていない部分の幅Ｗｂは、凸部２８での幅Ｗｃより小さい。これにより、固定帯２２の幅が、必要以上に大きくなることが抑制されている。この固定帯２２は、比較的に幅を大きくすることなく、耐久性を向上しうる。
【００４１】
この固定帯２２では、長手方向において、貫通孔形成範囲Ｄｈは凸部形成範囲Ｄｃ内にある。これにより、貫通孔２６を起点にして破損が生じることが、更に抑制されている。
【００４２】
この固定帯２２では、凸部２８の幅方向端の輪郭が円弧状にされている。これにより、凸部２８が幅方向外向きに突出することで、凸部２８がベルト６０や衣服などに引っ掛かることが抑制されている。この固定帯２２では、固定帯付きカラビナ４０をベルト６０に着脱するときにも、破損を生じることが抑制されている。また、固定帯付きカラビナ４０をベルト６０に着脱することが容易にされている。
【００４３】
この本体２４は、内縁部３２及び外縁部３４を備えている。この本体２４では、貫通孔２６を囲む内縁部３２の引裂強さは、外縁部３４の引裂強さより大きい。これにより、貫通孔２６を起点にして破損が生じることが、更に抑制されている。外縁部３４の引裂強さを大きくする観点から、内縁部３２は、繊維補強ゴムからなることが好ましい。
【００４４】
ここでは、固定帯付きカラビナ４０は、ズボンのベルト６０に装着されたが、装着されるものはベルト６０に限られない。この固定帯付きカラビナ４０は、棒体４２が通される貫通孔２６を変更することで、種々の幅で種々の厚さの帯体に装着しうる。例えば、この固定帯付きカラビナ４０は、ベルト型安全帯やハーネス型安全帯にも装着しうる。ハーネス型安全帯では、作業者の肩や胸部などにも、ハーネス型安全帯のベルト状の帯体によって固定しうる。
【産業上の利用可能性】
【００４５】
以上説明された固定帯２２及び固定帯付きカラビナ４０は、工事現場、建物検査現場、試験現場等、各種のツールが使用される種々の場面に広く用いられる。
【符号の説明】
【００４６】
２２・・・固定帯
２４・・・本体
２６・・・貫通孔
２８・・・凸部
３０・・・端部凸部
３２・・・内縁部
３４・・・外縁部
３６・・・開口
３８・・・カラビナ本体
４０・・・固定帯付きカラビナ
４２・・・棒体
４４・・・上屈曲部
４６・・・下屈曲部
４８・・・ゲートバー
５０、５２・・・先端部
５４・・・開口
５６・・・上端部
５８・・・下端部
６０・・・ベルト
６２・・・リング
【図１】
0003213129.tif 000003
【図２】
0003213129.tif 000004
【図３】
0003213129.tif 000005
【図４】
0003213129.tif 000006
【図５】
0003213129.tif 000007
【図６】
0003213129.tif 000008